(57)【特許請求の範囲】
【請求項１】
筒体の外周に複数枚の翼片を放射状に突設すると共に筒体の端部に仕切り板を設けて水掻き具を形成し、握り棒の両端部にそれぞれ筒体を被挿して、翼片と隣の水掻き具の仕切板とが接続されるように、複数の水掻き具を握り棒の長手方向に連ねて取着して成ることを特徴とするプール等の水中運動補助具。
【請求項２】
隣合う水掻き具の翼片を握り棒の外周方向で位置をずらせて複数の水掻き具を握り棒の長手方向に連ねて取着して成ることを特徴とする請求項１に記載のプール等の水中運動補助具。
【発明の詳細な説明】
【０００１】
【産業上の利用分野】
本発明は、泳げない人でもプール等において筋力トレーニングや持久運動を行なえるようにした水中運動補助具に関するものである。
【０００２】
【従来の技術】
下半身のリハビリテーションや上半身の強化のため、あるいは美容や健康などのために、プール等にて水中運動が行なわれている。水中では浮力が作用するために体重の負担が腰や足に加わらず、しかも水の抵抗によって大きな運動量で運動することができるために、この水中運動は近年盛んに普及している。
【０００３】
しかし例えば、水中を歩行運動したりリハビリテーション運動などをする場合、水中でバランスを失い易く、体をうまく動かして運動ができない等の問題がある。このために、水に浮くフロート等につかまってバランスを崩さないようにするなどの工夫がなされているが、フロートはバランスを保つ程度の効果があるに過ぎず、運動を補助する効果はない。一方、ビート板や足ヒレ等の水泳用補助具は種々提供されているが、リハビリテーションや筋力強化を目的とした水中での運動の補助具については、殆ど提供されていないのが現状である。
【０００４】
【発明が解決しようとする課題】
本発明は上記の点に鑑みてなされたものであり、水中での歩行運動や美容又は治療を目的としたリハビリテーション運動等に供することができるプール等の水中運動補助具を提供することを目的とするものである。
【０００５】
【課題を解決するための手段】
本発明に係るプール等の水中運動補助具は、筒体１の外周に複数枚の翼片２を放射状に突設すると共に筒体１の端部に仕切り板１０を設けて水掻き具３を形成し、握り棒４の両端部にそれぞれ筒体１を被挿して、翼片２と隣の水掻き具３の仕切板１０とが接続されるように、複数の水掻き具３を握り棒４の長手方向に連ねて取着して成ることを特徴とするものである。
【０００６】
さらに本発明にあって、隣合う水掻き具３の翼片２を握り棒４の外周方向で位置をずらせて複数の水掻き具３を握り棒４の長手方向に連ねて取着することができる。
【０００７】
【作用】
水中での歩行運動やリハビリテーション運動は、両手を伸ばして握り棒４を掴んで水中で保持し、その姿勢で前進や後退又は横歩きを繰り返すことによって行なうことができる。そしてこの運動の際に、水掻き具３は筒体１の外周に複数枚の翼片２を放射状に突設して形成してあるために、握り棒４の外周方向での向きがどの向きになるように握っても、翼片２で確実に水の抵抗を受けるようにすることができる。また腕や背筋のリハビリテーション運動は、握り棒４を掴んで水中で前後及び上下させる運動を繰り返すことによって行なうことができる。そしてこの運動の際に、翼片２は放射状に突設されているために前後及び上下のどの方向にも抵抗を受け、体調等に応じた運動が可能になる。
【０００８】
【実施例】
以下本発明を実施例によって詳述する。
図１は「フィンベル」という名称で提供する本発明の一実施例を示すものであり、握り棒４はアルミニウム等の軽量金属のパイプなど、丸パイプで形成してある。握り棒４は１５０ｃｍ程度の長さに形成したものを用いるのが好ましい。
【０００９】
水掻き具３は合成樹脂の成形品で一体に作製されるものであり、図５に示すように、円筒形状の筒体１の一方の端部の外周に筒体１の軸方向と垂直な方向に円板状の仕切り板１０が延設してある。そして筒体１の外周には筒体１の軸方向に沿って複数枚の翼片２が設けてあり、この各翼片２は筒片１から放射状に突出するように形成してある。各翼片２の一側端は仕切り板１０の表面と一体に連続するようにして、各翼片２が筒片１の周方向に撓み変形しないように仕切り板１０で補強してある。図５の実施例では翼片２は等間隔に６枚設けてあるが、等間隔であればこの枚数に限定されるものでないのは言うまでもない。また、各翼片２の仕切り板１０と反対側の側端縁には係合突片１１が突設してあり、仕切り板１０には隣合う各翼片２間の中央位置においてそれぞれスロット状の係合孔１２が穿設してある。尚、図５の実施例では、水掻き具３の大きさは、筒体１の軸方向での長さ１０ｃｍ、仕切り板１０の直径２０ｃｍに形成してある。
【００１０】
握り棒４に水掻き具３を取り付けるにあたっては、まず水掻き具３の筒体１に１箇所あるいは複数箇所において通し孔１３を設けると共に、この通し孔１３と対応する箇所において握り棒４の端部にねじ孔１４を設ける。通し孔１３は水掻き具３を成形する際に同時に形成するようにしてあってもよい。そして水掻き具３の筒体１に握り棒４の端部を差し込み、図４に示すように通し孔１３に合成樹脂製等のビス１５を通してねじ孔１４にねじ込むことによって、握り棒４の端部に水掻き具３を固定して取り付けることができる。水掻き具３の固定はこのようにビス１５を用いて行なう他、クリップ等を用いて行なうようにしてもよい。
【００１１】
同様にして握り棒４の両端部に水掻き具３を取り付けることによって、本発明に係る水中運動補助具を作製することができるものである。水掻き具３は、図１や図２に示すように握り棒４の両端に同数の複数個ずつ取り付けるようにしてある。このように複数個の水掻き具３を取り付ける場合、図３のように翼片２の係合突片１１を隣合う水掻き具３の仕切り板１０の係合孔１２に差し込み係合させて隣合う水掻き具３を接続するようにしてあり、隣合う水掻き具３の翼片２が握り棒４の周方向に半ピッチずつ相互に位置ずれするようにしてある。尚、図１乃至図３の実施例では、最も内側の水掻き具３においては各翼片２の係合突片１１を切除するようにしてある。勿論、この水掻き具３においてのみ係合突片１１を設けないように成形したものを用いるようにしてもよい。
【００１２】
上記のようにして作製される水中運動補助具を用いてプール等で水中運動するにあたっては、両端にブレードを有するカヌーのオールを握るように握り棒４を両手で掴み、腰の上あるいは胸近くまで水中に浸かって行なうことができる。すなわち、水中での歩行運動やリハビリテーション運動は、このように握り棒４を掴んで水中で保持し、その姿勢で前進や後退又は横歩きを繰り返すことによって行なうことができるものであり、この際に水掻き具３の翼片２で水の抵抗を受け、適度な運動量を得るとができるものである。そして水掻き具３は筒体１の外周に複数枚の翼片２を放射状に突設して形成してあるために、握り棒４の外周方向での向きがどの向きになるように握っても、翼片２で確実に水の抵抗を受けるようにすることができるものである。また腕や背筋のリハビリテーション運動は、上記のように握り棒４を掴んで水中で前後及び上下させる運動を繰り返すことによって行なうことができる。そしてこの運動の際にも、放射状に突設されている翼片２によって前後及び上下のどの方向にも水の抵抗を受けるようにすることができるものである。ここで、水中運動補助具を水中で使用するに際して、水中運動補助具は水に浮くよりも、全体として水に沈むかあるいは水中で停滞する程度であるほうが使い易く好ましい。
【００１３】
このように、水掻き具３は筒体１の外周に複数枚の翼片２を放射状に突設して形成してあるために、握り棒４の外周方向での向きがどの向きになるように握り棒４を握っても、複数枚の翼片２のうちいずれかの翼片２が水に対して垂直に作用するようにすることができ、翼片２で水を確実に捉えて抵抗を受けるようにすることができるものである。また、握り棒４に取り付ける水掻き具３の個数を多くすれば水に作用する翼片２の枚数が多くなり、水に対する抵抗を高めることができるものであり、つまり水掻き具３の個数によって推力や抵抗を調整することができるものであり、従って握り棒４に取り付ける水掻き具３の個数を変えた複数種のものを準備しておくことによって、水中運動の程度等に合わせて使い分けを行なうことができるものである。さらにこのように握り棒４に複数個の水掻き具３を取り付けるにあたって、隣合う水掻き具３の翼片２を握り棒４の外周方向で位置をずらせるようにしてあるために、隣合う水掻き具３において水に対して翼片２が作用する角度が異なり、握り棒４の外周方向での向きがどの向きになるように握り棒４を握っても、各翼片２の水に対する抵抗の総和が平均化されることになり、水の抵抗が強くなったり弱くなったりすることなく水の抵抗を安定して得ることができるものである。
【００１４】
【発明の効果】
上記のように本発明は、筒体の外周に複数枚の翼片を放射状に突設して水掻き具を形成し、握り棒の両端部にそれぞれ筒体を被挿して水掻き具を取着したので、握り棒を両手で掴んで前進・後退運動したり、前後・上下運動したりすることによって、水中での歩行運動やリハビリテーション運動の補助に供することができるものであり、しかも握り棒の外周方向での水掻き具の向きがどの向きになるように握り棒を握っても、放射状に突設した複数枚の翼片のうちいずれかの翼片で確実に水を捉えて抵抗を受けることができ、握り棒の握り方を考慮するが必要なくなって操作を容易におこなうことができるものである。
【００１５】
また、筒体の端部に仕切り板を設けて水掻き具を形成し、握り棒の両端部にそれぞれ、複数の水掻き具を握り棒の長手方向に連ねて取着するようにしたので、水掻き具の個数によって水に対して作用する翼片の枚数が変わって水から受ける抵抗を調整することができるものであり、握り棒に取り付ける水掻き具の個数を変えた複数種のものを準備しておくことによって、水中運動の程度等に合わせて使い分けを行なうことができるものである。
【００１６】
さらに、隣合う水掻き具の翼片を握り棒の外周方向で位置をずらせて複数の水掻き具を握り棒の長手方向に連ねて取着するようにしたので、隣合う水掻き具において水に対して翼片が作用する角度が異なることになり、握り棒の外周方向での向きがどの向きになるように握り棒を握っても翼片による水に対する抵抗の総和が平均化され、水の抵抗を安定して受けることができるものである。
【図面の簡単な説明】
【図１】本発明の一実施例の斜視図である。
【図２】図１の一部を拡大して示すものであり、（ａ），（ｂ）はそれぞれ斜視図である。
【図３】同上の一部の分解斜視図である。
【図４】同上の一部の断面図である。
【図５】同上の水掻き具を示すものであり、（ａ）は正面図、（ｂ）は側面図、（ｃ）は底面図、（ｄ）は（ａ）のＡ−Ａ線断面図である。
【符号の説明】
１  筒体
２  翼片
３  水掻き具
４  握り棒
１０  仕切り板
【図１】
0003695663.tif 000002
【図２】
0003695663.tif 000003
【図３】
0003695663.tif 000004
【図４】
0003695663.tif 000005
【図５】
0003695663.tif 000006